(57)【要約】【課題】日常生活において用いることができ、しかも、背筋を矯正することもできる背筋矯正用座椅子の提供。【解決手段】座わった状態において、背筋が略垂直に伸びるように座面が前方に向けて下り傾斜に設けられた座部と、前記座部と床面との間に折り曲げられた足の脛先側が収まると共に股間を開いた状態で足の脛先側が収まる幅の空洞部と、略垂直に下げた左右の手の手がかりとなるよう当該座部を支える脚部に設けられた手がかり部とを備えたことを特徴とする。【選択図】    図１
2004305662.tif 000002
【特許請求の範囲】
【請求項１】
座わった状態において、背筋が略垂直に伸びるように座面が前方に向けて下り傾斜に設けられた座部と、前記座部と床面との間に折り曲げられた足の脛先側が収まると共に股間を開いた状態で足の脛先側が収まる幅の空洞部と、略垂直に下げた左右の手の手がかりとなるよう当該座部を支える脚部に設けられた手がかり部とを備えたことを特徴とする背筋矯正用座椅子。
【請求項２】
手がかり部は脚部の外面に設けられた凹部又は凸部であることを特徴とする請求項１に記載の背筋矯正用座椅子。
【請求項３】
背面側から両脇に差し込まれる脇部材を有する脇支持部を備えたことを特徴とする請求項１又は請求項２に記載の背筋矯正用座椅子。
【請求項４】
脇支持部は高さ方向調節手段を備えたことを特徴とする請求項３に記載の背筋矯正用座椅子。
【請求項５】
脇支持部は幅方向調節手段を備えたことを特徴とする請求項３又は請求項４に記載の背筋矯正用座椅子。
【請求項６】
座部は、座面の傾斜角度が３０度であることを特徴とする請求項１乃至請求項５の何れかに記載の背筋矯正用座椅子。
【請求項７】
空洞部は、股間を６０度に開いた状態で足の脛先側が収まる幅であることを特徴とする請求項１乃至請求項６の何れかに記載の背筋矯正用座椅子。
【発明の詳細な説明】
【０００１】
【産業上の利用分野】
本発明は、正座する際に用いる座椅子に関し、詳しくは、背筋矯正用として機能する背筋矯正用座椅子に関する。
【０００２】
【従来の技術】
従来、神事や仏事等の際に、足の痺れを防止する際に用いる正座椅子（特許文献１）はあったが、日常生活において正座する際に背筋を矯正できる類の背筋矯正用座椅子はなかった。
【特許文献１】実願平０６−７２４５５号公報
【０００３】
【発明が解決しようとする課題】
本発明は、日常生活において用いることができると共に、背筋を矯正することができる背筋矯正用座椅子の提供を目的とする。
【０００４】
【課題を解決するための手段】
請求項１の背筋矯正用座椅子の発明は、座わった状態において、背筋が略垂直に伸びるように座面が前方に向けて下り傾斜に設けられた座部と、前記座部と床面との間に折り曲げられた足の脛先側が収まると共に股間を開いた状態で足の脛先側が収まる幅の空洞部と、略垂直に下げた左右の手の手がかりとなるよう当該座部を支える脚部に設けられた手がかり部とを備えたことを特徴とする。
【０００５】
請求項２の発明は、請求項１に記載の背筋矯正用座椅子において、手がかり部は脚部の外面に設けられた凹部又は凸部であることを特徴とする。
【０００６】
請求項３の発明は、請求項１又は請求項２に記載の背筋矯正用座椅子において、背面側から両脇に差し込まれる脇部材を有する脇支持部を備えたことを特徴とする。
【０００７】
請求項４の発明は、請求項３に記載の背筋矯正用座椅子において、脇支持部は高さ方向調節手段を備えたことを特徴とする。
【０００８】
請求項５の発明は、請求項３又は請求項４に記載の背筋矯正用座椅子において、脇支持部は幅方向調節手段を備えたことを特徴とする。
【０００９】
請求項６の発明は、請求項１乃至請求項５の何れかに記載の背筋矯正用座椅子において、座部は座面の傾斜角度が３０度であることを特徴とする。
【００１０】
請求項７の発明は、請求項１乃至請求項６の何れかに記載の背筋矯正用座椅子において、空洞部は股間を６０度に開いた状態で足の脛先側が収まる幅であることを特徴とする。
【００１１】
【発明の実施の形態】
実施の形態１．
以下、本発明を実施の形態を示す図面に基づいて説明する。
図１は背筋矯正用座椅子の正面側斜視図、図２は背筋矯正用座椅子の左側面図、図３は背筋矯正用座椅子の右側面図、図４は座部の左側面図、図５は座部の右側面図、図６は脇支持部の背面斜視図である。
図中の符号の１は座部、２は座部を床面から適当な高さ位置に支持する左側の脚部、３は右側の脚部、４は空洞部、２０は脇支持部である。
【００１２】
図１において、空洞部４は、座部１に臀部を置いて座った状態において、正座するように折り曲げられた足の足先から脛の一部即ち足の脛先側が収められる空間である。この例では、座部１と左右の脚部２、３と床面（図示せず）とで囲まれた空間である。
この空洞部４の幅は、股間を６０度若しくは６０度前後、例えば５５度から６５度範囲の約６０度に開いた状態で、足の脛先側が収まる幅とするのが、背筋を伸ばして正座するに最適であり、好ましい。
【００１３】
座部１は、座面１１が前方に向けて下り傾斜となるように左右の脚部２、３に着脱自在に設けられている。このように座部１の座面１１を傾斜させると、座部１に座わった人は安定を得ようとして自ずと姿勢を正し、結果として、背筋が略垂直に伸びる姿勢となる。
このように、座わった状態において、背筋が略垂直に伸びるように座面１１を前方に向けて下り傾斜に設けたのである。これによって、座部１に座るだけで、背筋を適正に伸張させることができ、上半身の姿勢を矯正することができる。
【００１４】
上半身の姿勢を矯正するに最適の座面１１の傾斜角度は人間工学的に３０度が最適であるが、人の体格によっては例えば２０度から３５度範囲であってもよい、以下この角度範囲を約３０度という。
このため、この例の背筋矯正用座椅子は、少なくとも２つの異なる傾斜角度に選択可能となるように、例えば、傾斜角度を３０度と２０度との異なる角度に自在に設定可能としてある。
又、この背筋矯正用座椅子の座部１は、当該座部１を支える脚部２、３に対して、少なくとも２つの異なる高さに選択可能としてある。
【００１５】
図２及び図３において、Ａ１、Ａ２、Ａ３は板状に形成された脚部２、３の幅方向の前側に、当該脚部２、３の側面を外側から内側即ち座部１側に貫通するように穿たれた止着穴であって、垂直方向に上中下と等間隔に配設されている。以下、これら上中下の止着穴Ａ１、Ａ２、Ａ３を前穴ともいう。
他方、Ｂ１、Ｂ２、Ｂ３もまた、板状に形成された脚部２、３の幅方向の後側に、当該脚部２、３の側面を外側から内側即ち座部１側に貫通するように穿たれた止着穴であって、垂直方向に上中下と等間隔に配設されている。以下、これら上中下の止着穴Ｂ１、Ｂ２、Ｂ３を後穴ともいう。
【００１６】
各脚部２、３の幅方向において上中下と対応する前穴Ａ１、Ａ２、Ａ３と後穴Ｂ１、Ｂ２、Ｂ３とは、幅方向において水平位置になく、上中下の後穴Ｂ１、Ｂ２、Ｂ３は各々上中下の前穴Ａ１、Ａ２、Ａ３よりも床面から高い位置に、この例では、相対する上中下の前穴Ａ１、Ａ２、Ａ３から角度にして３０度となるように配設されている。
これらの前穴Ａ１、Ａ２、Ａ３及び後穴Ｂ１、Ｂ２、Ｂ３には、脚部２、３を貫通して、座部１の各々側面に達する止着部材としてのビス（図示せず）が適当本数ねじ込まれて、座部１を両脚部２、３間において傾斜角度３０度にて固定する。
【００１７】
図４及び図５において、この座部１には、左右の側面に前記ビス（図示せず）がねじ込まれる係止部としてのねじ穴が設けられている。
図示の例では、前記の上中下３つの前穴Ａ１、Ａ２、Ａ３の内、隣り合う二つの前穴Ａ１とＡ２、又は前穴Ａ２とＡ３とに対応する前ねじ穴ａ１、ａ２と、同じく、前記の上中下３つの後穴Ｂ１、Ｂ２、Ｂ３の内、隣り合う二つの後穴Ｂ１とＢ２、又は後穴Ｂ２とＢ３とに対応する後ねじ穴ｂ１、ｂ２とが設けられている。
【００１８】
この背筋矯正用座椅子では、座部１の係止部としてのねじ穴は、当該座部１の両側面の各々に、当該座部１の前後方向において前ねじ穴ａ１、ａ２と後ねじ穴ｂ１、ｂ２とを各々上下一対用いるように設けられている。
即ち、前ねじ穴ａ１、ａ２及び後ねじ穴ｂ１、ｂ２が、相対的に高い位置にある前穴Ａ１、Ａ２及び後穴Ｂ１、Ｂ２に一致するよう位置された場合と、相対的に低い位置にある前穴Ａ２、Ａ３及び後穴Ｂ２、Ｂ３に一致するよう位置された場合とである。
このように、図示の例では、座部１（座面１１）の床面からの高さ位置の選択は、高い位置と低い位置との上下２位置（２段）の選択が可能となる。
【００１９】
しかし、仮に、座部１の１つの前ねじ穴ａ１と１つの後ねじ穴ｂ１とを高さ位置設定に用いるとすれば、高さ位置を３段、即ち、脚部２、３の前穴Ａ１と後穴Ｂ１、前穴Ａ２と後穴Ｂ２、前穴Ａ３と後穴Ｂ３という具合に、上中下の３位置（３段）とすることができる。
又、前穴Ａ１、Ａ２、Ａ３と後穴Ｂ１、Ｂ２、Ｂ３とに、更に垂直上下方向に前穴Ａ４・・・（図示せず）及び後穴Ｂ４・・・（図示せず）を増設することによって、４段以上の任意の段数とすることもできる。
【００２０】
図示の例のようにして、座部１は、当該座部１を支える脚部２、３に対して、少なくとも２つの異なる高さに選択可能とすると、体格に応じてより適正に背筋矯正用座椅子を用いることができる。
尚、何れの場合でも、座部１と床面との間には、折り曲げられた足の脛先側が収まる空洞部４が確保されねばならない。
【００２１】
この背筋矯正用座椅子では、上述したように、座面１１の傾斜角度が３０度で且つ座部１（座面１１）の床面からの高さを異なる高さ位置に選択可能に構成（以下、これを第１調整系列という）してあるが、更に、この第１調整系列に、例えば、傾斜角度を２０度として高さ位置も同様に少なくとも２つの異なる高さに選択可能に構成（第２調整系列）している。即ち、第１調整系列に第２調整系列を併設した構成としている。
【００２２】
第２調整系列としては図４及び図５に示すように、座部１の係止部としてのねじ穴として、当該座部１の両側面の各々において、前ねじ穴ａ２に相応する前ねじ穴Ｘと後ねじ穴ｂ２に相応する後ねじ穴Ｙとを設けている。
前ねじ穴Ｘは、当該前ねじ穴Ｘと前ねじ穴ａ１とを結ぶ線が前ねじ穴ａ１と前ねじ穴ａ２とを結ぶ線に対し、前ねじ穴ａ１を中心として１０度の角度位置であって、前ねじ穴ａ１と前ねじ穴ａ２との間隔と等間隔位置に、同様に、後ねじ穴Ｙは、当該後ねじ穴Ｙと後ねじ穴ｂ１とを結ぶ線が後ねじ穴ｂ１と後ねじ穴ｂ２とを結ぶ線に対して１０度の角度位置であって、後ねじ穴ｂ１と後ねじ穴ｂ２との間隔と等間隔位置に、各々位置するように配設されている。
【００２３】
これによって、前ねじ穴ａ１、Ｘ及び後ねじ穴ｂ１、Ｙが、相対的に高い位置にある前穴Ａ１、Ａ２及び後穴Ｂ１、Ｂ２と、相対的に低い位置にある前穴Ａ２、Ａ３及び後穴Ｂ２、Ｂ３とに一致し、座部１（座面１１）を２０度の傾斜角度で、上下２位置（２段）に設定することができる。
【００２４】
図１乃至図３において、更に、この背筋矯正用座椅子は、座部１に背筋が略垂直に伸びるように座った状態において、略垂直に下げた左右の手の手がかりとなる手がかり部５が、当該座部１を支える脚部２、３に各々床面から同じ高さに設けられている。
図示の手がかり部５は、脚部２、３の厚さ方向に貫通する穴として形成されているが、脚部２、３の外面に設けられた凹部であってもよいし、凸部であってもよい（図示せず）。
【００２５】
このように構成した背筋矯正用座椅子に座ると、前方に下り傾斜を付けた座面１１に安定に座ろうとするため、自ずと上半身の姿勢が、側面方向から見てＳ字状、背面から見ると背筋が垂直に伸びた、適正な姿勢となる。
しかも、この状態で左右の手がかり部５に手を掛けておくと、両肩が自ずと水平となるだけでなく、当該手がかり部５を手で引き上げるように上体の姿勢を張ることができ、上半身の筋や筋肉を正しい姿勢の下で容易に緊張させることができる。
【００２６】
尚、図示の手がかり部５の高さ位置は固定されているが、適宜手段（図示せず）を用いて高さ位置を調整可能とするのが好ましい。これにより、体格の如何に拘わらずに背筋矯正用座椅子を用いることができる。
【００２７】
更に、この背筋矯正用椅子は、図１乃至図３及び図６に示すように、背後に脇支持部２０を備えている。
脇支持部２０は、図６に示すように本体２１が略Ｔ字状をしており、本体２１の下部２２が摺動自在に下部受け部材２３に挿入され、当該下部受け部材２３を介して左右の脚部２、３に適宜手段にて固定されている。
【００２８】
この脇支持部２０は、高さ方向調整手段を備えている。
高さ方向調整手段は、摺動自在に挿入される本体下部２２に、摺動方向に適当間隔をおいて設けられた下部係止穴２４、２４、２４と、下部受け部材２３に、当該下部受け部材２３の外部から内部にねじ込まれるよう設けられた係止ねじ部２５とで構成されている。
この高さ方向調整手段によって、本体下部２２が適当に挿入された状態において、何れかの下部係止穴２４にねじ先端が嵌入するように、係止ねじ部２５をねじ込み操作することによって、本体下部２２を所望の高さ位置に固定することができる。
【００２９】
又、この脇支持部２０は、背後から両脇に差し込まれる左右の脇部材２６、２６の左右間の間隔即ち幅方向の間隔が幅方向調整手段によって、任意の間隔に調整自在である。
幅方向調整手段は、Ｌ字状に形成され、一方が脇の下に向き他方がＴ字本体２１の左右端側に摺動自在に挿入される一対の両脇部材２６、２６と、当該両脇部材２６、２６の摺動方向に適当間隔をおいてＴ字本体２１の左右端側に各々設けられた左右の係止穴２７、２７、２７と、各脇部材２６、２６に、当該脇部材２６の外部から内部にねじ込まれるよう設けられた係止ねじ部２８とで構成されている。
【００３０】
この幅方向調整手段によって、左右の脇部材２６、２６が本体２１の左右端側に各々適当に挿入された状態において、左右の係止穴２７の各々何れかにねじ先端が嵌入するように、各々対応する左右の係止ねじ部２８、２８をねじ込み操作することによって、脇部材２６、２６の左右間隔を体格に応じた所望の幅に調整して、固定することができる。
尚、左右の係止ねじ部２８、２８及び上記の操作ねじ部２５は、何れも手動操作可能とするため操作ダイヤル２９を備えている。
【００３１】
【発明の効果】
請求項１乃至請求項７の発明によれば、何れも、前方に下り傾斜の座面に安定に座ることにより、自ずと上半身の姿勢が、側面方向から見てＳ字状、背面から見ると背筋が垂直に伸びて、適正な姿勢を保つことができる。
【００３２】
しかも、左右の手がかり部に手を掛けることによって、両肩を自ずと水平にすることができるだけでなく、この手がかり部を手で引き上げるように上体の姿勢を張ることによって、姿勢を安定に保ちつつ、上半身の筋や筋肉を正しい姿勢の下で容易に緊張させることができる。
【００３３】
請求項３の発明によれば、脇部材によって、両脇が適正位置に支持されるので、手がかり部と相俟って、比較的長い時間、適正な姿勢を保つことができる。
【００３４】
請求項４及び請求項５の発明によれば、何れも、体格に応じて脇部材の位置を調整することができる。
【図面の簡単な説明】
【図１】背筋矯正用座椅子の正面側斜視図である。
【図２】背筋矯正用座椅子の左側面図である。
【図３】背筋矯正用座椅子の右側面図である。
【図４】座部の左側面図である。
【図５】座部の右側面図である。
【図６】脇支持部の背面斜視図である。
【符号の説明】
１  座部、                      ２、３  脚部、
４  空洞部                      ５  手がかり部、
２０  脇支持部、                ２１  Ｔ字本体、
２６  脇部材、            ２５、２８  係止ねじ部。
【図１】
2004305662.tif 000003
【図２】
2004305662.tif 000004
【図３】
2004305662.tif 000005
【図４】
2004305662.tif 000006
【図５】
2004305662.tif 000007
【図６】
2004305662.tif 000008